(57)【要約】  【課題】凸部を設けて面接触の接触面を大きくすることで、端子金具を重ね合わせる際の安定性や強度を向上させることができる端子金具を提供する。  【解決手段】本発明の端子金具は、電線が保持される電線保持部と被取付部に取り付けられる取付部を含む第１の端子金具と、電線が保持される電線保持部と被取付部に取り付けられる取付部を含む第２の端子金具とを備え、前記第１の端子金具に設けられた突起部を前記第２の端子金具の穴部に挿入することにより前記第１の端子金具及び第２の端子金具が重ね合わされる一対の端子金具であって、前記第１の端子金具は、第１の凸部と第２の凸部とを備え、前記第１の凸部の側部及び前記第２の凸部の頭部のうち少なくとも１つに、前記第２の端子金具の一部が面接触可能であることにより、前記第１の端子金具と前記第２の端子金具とが重ね合わされる。【選択図】  図１
2014096339.tif 000002
【特許請求の範囲】
【請求項１】
電線が保持される電線保持部と被取付部に取り付けられる取付部を含む第１の端子金具と、
電線が保持される電線保持部と被取付部に取り付けられる取付部を含む第２の端子金具とを備え、
前記第１の端子金具に設けられた突起部を前記第２の端子金具の穴部に挿入することにより前記第１の端子金具及び第２の端子金具が重ね合わされる一対の端子金具であって、
前記第１の端子金具は、第１の凸部と第２の凸部とを備え、
前記第１の凸部の側部及び前記第２の凸部の頭部のうち少なくとも１つに、前記第２の端子金具の一部が面接触可能であることにより、前記第１の端子金具と前記第２の端子金具とが重ね合わされることを特徴とする端子金具。
【請求項２】
前記第２の端子金具の前記穴部は、前記第２の端子金具に立設する壁部に設けられ、
前記第１の凸部の側部及び前記第２の凸部の頭部のうち少なくとも１つに、前記壁部が面接触可能であることにより、前記第１の端子金具と前記第２の端子金具とが重ね合わされることを特徴とする請求項１に記載の端子金具。
【請求項３】
前記第１の凸部は、前記壁部の長さ方向に略垂直な方向に延伸する第１の平面部を含み、
前記第２の凸部は、前記壁部の長さ方向に略平行な方向に延伸する第２の平面部を含み、
前記第１の平面部及び前記第２の平面部のうち少なくとも１つが、前記壁部に面接触可能であることを特徴とする請求項２に記載の端子金具。
【請求項４】
前記第１の端子金具は、前記突起部を含む板金と、前記第１の凸部及び前記第２の凸部を含む板金とを固定することで構成されることを特徴とする請求項３に記載の端子金具。
【発明の詳細な説明】
【技術分野】
【０００１】
本発明は、端子金具に関し、特に、電線などを被取付部に取り付ける端子金具に関する。
【背景技術】
【０００２】
自動車の車体には、シールド電線が配索されることがある。シールド電線の編組を車体に電気的に接続し、車体をアースとして用いる。このため、シールド電線を車体に接続する端子金具が必要となる（例えば、特許文献１参照）。図５は、従来の一対の端子金具１００，２００が分離した状態を示した図である。図６は、従来の一対の端子金具１００，２００が重ね合わさった状態を示した図である。図５及び図６に示す従来の端子金具は、一対の端子金具１００，２００を含む。一対の端子金具１００，２００は、それぞれ、板金に打ち抜き加工や曲げ加工により形成され、電線を保持する円筒状の電線保持部１０１，２０１と、車体などの被取付部に取り付けられる取付部１０２，２０２とを備える。
【０００３】
円筒状の電線保持部１０１，２０１は、円筒内にシールド電線を保持する。保持されるシールド電線は、導電部が露出しており、当該導電部が電線保持部１０１，２０１に電気的に接続される。例えば、シールド電線の導電部が円筒内に通され、円筒の半径方向に加締められることで、シールド電線の編組と電線保持部１０１，２０１が電気的に接続される。
【０００４】
取付部１０２，２０２は、平板状に形成され、その外縁に接続部が形成されている。接続部は、一対の端子金具１００，２００のそれぞれに、突起部１０３と穴部２０３の何れかにより形成されている。穴部２０３は、壁部２０４の側面に設けられている。
【０００５】
一方の端子金具１００の突起部１０３が他方の端子金具２００の穴部２０３に挿入されることで、一対の端子金具１００，２００が重ね合わされる。取付部１０２，２０２は、端子金具１００，２００を被取付部に取り付けるためのボルトを通す貫通孔１１０，２１０を含む。一対の端子金具１００，２００は、接続部（突起部１０３と穴部２０３）により重ね合わされた状態で、貫通孔１１０，２１０を通ったボルトが車体に設けられたウェルドナットにねじ込まれる（締結される）ことにより、車体などの被取付部に取り付けられる。
【先行技術文献】
【特許文献】
【０００６】
【特許文献１】特開２０１２−２９５１２号公報
【発明の概要】
【発明が解決しようとする課題】
【０００７】
従来の一対の端子金具１００，２００は、接続部（突起部１０３と穴部２０３）により重ね合わされる。図６（ｂ）は、端子金具１００，２００が重ね合わされた状態を示した上面図である。図７は、図６（ｂ）の点線範囲を拡大した端子金具の上面図である。図７に示すように、端子金具１００の突起部１０３が端子金具２００の穴部２０３に挿入されることで、端子金具１００，２００が重ね合わされる。端子金具１００の突起部１０３が壁部２０４の側面に設けられた穴部２０３に挿入されるとき、壁部２０４の端部２０５が凹部１０５の端部であるＲ部（局面部）１０６に点接触することにより、端子金具１００，２００が重ね合わされる。
【０００８】
しかしながら、壁部２０４の端部２０５がＲ部（局面部）１０６に点接触するため、端子金具１００，２００を重ね合わせる際に安定性や強度に欠ける。また、壁部２０４の端部２０５がＲ部（局面部）１０６に点接触するため、凹部１０５に無駄なスペース１０７が生じる。
【０００９】
壁部２０４の端部２０５がＲ部（局面部）１０６に点接触することを避けるため、壁部２０４の長さを短くすることも考えられるが、図８に示すように、壁部２０４の長さを短くすると、壁部２０４の長さ方向に無駄なスペースＬが生じるとともに、壁部２０４の長さ方向の突起部１０３のズレ量が大きくなり、突起部１０３が壁部２０４の長さ方向にガタつくことになる。
【００１０】
そこで、本発明の目的は、無駄なスペース１０７を排除して接触面を大きくすることで、端子金具を重ね合わせる際の安定性や強度を向上させた端子金具を提供することである。また、本発明の目的は、端子金具を重ね合わせる際の安定性や強度を向上させることで、接続部（突起部と穴部）を小型化しても十分な安定性や強度を得ることができる端子金具を提供することである。さらに、本発明の目的は、無駄なスペースＬを排除することで、突起部のガタつきを抑制し、端子金具を重ね合わせる際の安定性や強度を向上させた端子金具を提供することである。
【課題を解決するための手段】
【００１１】
本発明の端子金具は、電線が保持される電線保持部と被取付部に取り付けられる取付部を含む第１の端子金具と、電線が保持される電線保持部と被取付部に取り付けられる取付部を含む第２の端子金具とを備え、前記第１の端子金具に設けられた突起部を前記第２の端子金具の穴部に挿入することにより前記第１の端子金具及び第２の端子金具が重ね合わされる一対の端子金具であって、前記第１の端子金具は、第１の凸部と第２の凸部とを備え、前記第１の凸部の側部及び前記第２の凸部の頭部のうち少なくとも１つに、前記第２の端子金具の一部が面接触可能であることにより、前記第１の端子金具と前記第２の端子金具とが重ね合わされる。
【００１２】
この構成によれば、凸部（第１の凸部と第２の凸部）を設けて面接触の接触面を大きくすることで、端子金具を重ね合わせる際の安定性や強度を向上させることができる。
【００１３】
本発明の端子金具では、前記第２の端子金具の前記穴部は、前記第２の端子金具に立設する壁部に設けられ、前記第１の凸部の側部及び前記第２の凸部の頭部のうち少なくとも１つに、前記壁部が面接触可能であることにより、前記第１の端子金具と前記第２の端子金具とが重ね合わされる。
【００１４】
この構成によれば、壁部に設けられた穴部に突起部が挿入されて端子金具が重ね合わされるとともに、壁部が凸部（第１の凸部と第２の凸部）に面接触する接触面を大きくすることで、端子金具を重ね合わせる際の安定性や強度を向上させることができる。
【００１５】
本発明の端子金具では、前記第１の凸部は、前記壁部の長さ方向に略垂直な方向に延伸する第１の平面部を含み、前記第２の凸部は、前記壁部の長さ方向に略平行な方向に延伸する第２の平面部を含み、前記第１の平面部及び前記第２の平面部のうち少なくとも１つが、前記壁部に面接触可能である。
【００１６】
この構成によれば、第１の凸部の側部（平面部）に壁部を面接触させることにより、ガタつきを抑えて端子金具を重ね合わせる際の安定性や強度を向上させることができるとともに、第２の凸部の頭部（平面部）に壁部を面接触させることにより、無駄なスペースを排除して端子金具を重ね合わせる際の安定性や強度を向上させることができ、小型化しても十分な安定性や強度を得ることができる。
本発明の端子金具では、前記第１の端子金具は、前記突起部を含む板金と、前記第１の凸部及び前記第２の凸部を含む板金とを固定する。
この構成によれば、形状が異なる複数の板金を固定することで、第１の端子金具に突起部、第１の凸部、及び第２の凸部を容易に形成することができる。
【発明の効果】
【００１７】
本発明は、凸部を設けて面接触の接触面を大きくすることで、端子金具を重ね合わせる際の安定性や強度を向上させた端子金具を提供することである。
【図面の簡単な説明】
【００１８】
【図１】本実施の形態にかかる一対の端子金具を示した斜視図である。
【図２】本実施の形態にかかる一対の端子金具が重ね合わさった状態を示した図である。
【図３】図２の点線範囲を拡大した端子金具の上面図である。
【図４】図３の点線範囲をさらに拡大した端子金具の上面図である。
【図５】従来の一対の端子金が分離した状態を示した図である。
【図６】従来の一対の端子金具が重ね合わさった状態を示した図である。
【図７】図６の点線範囲を拡大した端子金具の上面図である。
【図８】壁部の長さを短くすると、壁部の長さ方向に無駄なスペースが生じることを示した図である。
【発明を実施するための形態】
【００１９】
以下、本発明の実施の形態にかかる端子金具について、図１乃至図４に基づいて説明する。図１は、本実施の形態にかかる一対の端子金具を示した斜視図である。図１は、本実施の形態にかかる一対の端子金具１０，２０が分離した状態を示した図である。図２は、本実施の形態にかかる一対の端子金具１０，２０が重ね合わさった状態を示した図である。
【００２０】
図１に示すように、一対の端子金具１０，２０（第１の端子金具１０と第２の端子金具２０）は、それぞれ、板金に打ち抜き加工や曲げ加工が施されることにより、電線保持部１１，２１と取付部１２，２２とを形成する。電線保持部１１，２１は、円筒状に形成され、円筒にシールド電線などを通して加締めすることにより、電線を保持する。保持されるシールド電線は、導電部が露出しており、当該導電部が電線保持部１１，２１に電気的に接続される。例えば、シールド電線の導電部が円筒内に通され、円筒の半径方向に加締められることで、シールド電線の編組と電線保持部１１，２１が電気的に接続される。
【００２１】
取付部１２，２２は、それぞれ、２枚の板金を加締め片６により固定することで構成され、車体などの被取付部に取り付けられる。取付部１２，２２は、平板状に形成され、その外縁に接続部が形成されている。接続部は、一対の端子金具１０，２０のそれぞれに、突起部１３と穴部２３の何れかにより形成されている。穴部２３は、端子金具（第２の端子金具）２０に立設する壁部２４の側面に設けられている。
【００２２】
突起部１３は、階段状に形成されている。穴部２３は、壁部２４の長さ方向に略平行に延伸するように形成されている。一方の端子金具（第１の端子金具）１０の突起部１３が他方の端子金具（第２の端子金具）２０の穴部２３に挿入されることで、一対の端子金具１０，２０が重ね合わされる。
【００２３】
取付部１２，２２は、その外縁に係止部が形成されている。係止部は、一対の端子金具１０，２０のそれぞれに、突起部１６，２６により形成されている。突起部１６は、壁部１５及び穴部１７とともに形成され、取付部１２から外側に延伸している。突起部２６は、壁部２５の側面に穴部２７とともに形成されている。
【００２４】
端子金具１０の突起部１３が端子金具２０の穴部２３に挿入された後、壁部１５が壁部２５の内側をスライドしながら、突起部１６と突起部２６が接触し、突起部１６と突起部２６の弾性力により突起部１６が突起部２６を越えて穴部２７に挿入され、突起部２６が穴部１７に挿入される。これにより、突起部１６と突起部２６が係止される。この結果、一対の端子金具１０，２０が重ね合わされる。
【００２５】
取付部１２，２２は、端子金具１０，２０を被取付部に取り付けるためのボルトを通す貫通孔１８，２８を含む。一対の端子金具１０，２０は、接続部（突起部１３と穴部２３）と係止部（突起部１６，２６）により重ね合わされた状態で、貫通孔１８，２８を通ったボルトが車体に設けられたウェルドナットにねじ込まれる（締結される）ことにより、車体などの被取付部に取り付けられる。
【００２６】
接続部（突起部１３と穴部２３）と係止部（突起部１６，２６）は、電線保持部１１，２１の電線挿入方向であって、取付部１２，２２の外縁の加締め片６の間に設けられる。
【００２７】
図２（ｂ）は、端子金具１０，２０が重ね合わされた状態を示した上面図である。図３は、図２（ｂ）の点線範囲を拡大した端子金具の上面図である。図３に示すように、端子金具１０の取付部１２は、２枚の板金１２ａ，１２ｂを加締め片６により固定することで構成されている。板金１２ａには、突起部１３が設けられている。板金１２ｂは、その一部を板金１２ａの凹部１２１から露出させる。露出した板金１２ｂの部分には、第１の凸部１２２、第１の凹部１２４、第２の凸部１２６、及び第２の凹部１２８が設けられている。
【００２８】
つまり、端子金具（第１の端子金具）１０は、突起部１３を含む板金１２ａと、第１の凸部１２２及び第２の凸部１２６を含む板金１２ｂとを、加締め片６により固定することで構成される。２枚の板金１２ａ，１２ｂを重ねて固定することで、第１の凸部１２２、第１の凹部１２４、第２の凸部１２６、及び第２の凹部１２８が、板金１２ａの凹部１２１内に形成される。
【００２９】
図３に示すように、板金１２ｂ（取付部１２）の第１の凸部１２２、第１の凹部１２４、第２の凸部１２６、及び第２の凹部１２８は、板金１２ａ（取付部１２）の突起部１３を中心に左右対称に設けられ、外側から中心に向かって第１の凸部１２２、第１の凹部１２４、第２の凸部１２６、及び第２の凹部１２８の順番で構成されている。
【００３０】
板金１２ａ（取付部１２）の突起部１３は、端子金具２２の壁部２４に設けられた穴部２３に挿入される。この場合、壁部２４が第２の凸部１２６の平面部１２６ａに当接することで、端子金具１０，２０が重なり合わさる。また、壁部２４の端部２４０が第１の凸部１２２の平面部１２２ａに当接することで、端子金具１０，２０が重なり合わさる。
【００３１】
図４は、図２（ｂ）及び図３の点線範囲をさらに拡大した端子金具の上面図である。図４に示すように、端子金具（第１の端子金具）１０は、第１の凸部１２２と第２の凸部１２６とを備え、第１の凸部１２２の側部及び第２の凸部１２６の頭部のうち少なくとも１つに、端子金具（第２の端子金具）２０の一部（例えば、壁部２４）が面接触可能であることにより、端子金具（第１の端子金具）１０と端子金具（第２の端子金具）２０とが重ね合わされる。
【００３２】
端子金具（第２の端子金具）２０の穴部２３は、端子金具（第２の端子金具）２０に立設する壁部２４に設けられ、第１の凸部１２２の側部（平面部１２２ａ）及び第２の凸部１２６の頭部（平面部１２６ａ）のうち少なくとも１つに、壁部２４が面接触可能であることにより、端子金具（第１の端子金具）１０と端子金具（第２の端子金具）２０とが重ね合わされる。
【００３３】
第１の凸部１２２は、壁部２４の長さ方向に略垂直な方向に延伸する平面部（第１の平面部）１２２aを含み、第２の凸部１２６は、壁部２４の長さ方向に略平行な方向に延伸する平面部（第２の平面部）１２６ａを含み、平面部（第１の平面部）１２２ａ及び平面部（第２の平面部）１２６ａのうち少なくとも１つが、壁部２４に面接触可能である。
【００３４】
図３及び図４に示すように、端子金具１０の突起部１３が端子金具２０の穴部２３に挿入されたとき、壁部２４の端部２４０は、第１の凹部１２４（第１の凸部１２２と第２の凸部１２６との間）に位置する。
【００３５】
なお、第１の凸部１２２の高さは、第２の凸部１２６の高さよりも高くなっており、壁部２４の厚さよりも長くなっている。第１の凹部１２４の深さは、第２の凹部１２８の深さよりも深くなっている。第１の凹部１２４及び第２の凹部１２８は、Ｒ部（局面部）になっている。
【００３６】
以上のように、本実施の形態にかかる端子金具によれば、無駄なスペースを排除して凸部（第２の凸部）１２６を設けて接触面を大きくすることで、端子金具１０，２０を重ね合わせる際の安定性や強度を向上させることができる。図４に示すように、凸部（第２の凸部）１２６の頭部領域１３０において、壁部２４と面接触する面積を大きくすることで、端子金具１０，２０を重ね合わせる際の安定性や強度を向上させることができる。
【００３７】
また、端子金具１０，２０を重ね合わせる際の安定性や強度を向上させることで、接続部（突起部１３と穴部２３）を小型化しても十分な安定性や強度を得ることができる。
【００３８】
さらに、無駄なスペースを排除して凸部（第１の凸部）１２２の側部（平面部１２２ａ）に壁部２４を面接触させることにより、点接触を回避するために壁部２４の長さを短くすることなく、図８のような無駄なスペースＬを排除することができるとともに、ガタつきを抑えて端子金具１０，２０を重ね合わせる際の安定性や強度を向上させることができる。
【００３９】
本発明にかかる実施の形態について説明したが、本発明はこれらに限定されるものではなく、請求項に記載された範囲内において変更・変形することが可能である。
【産業上の利用可能性】
【００４０】
本発明にかかる端子金具は、凸部を設けて面接触の接触面を大きくすることで、端子金具を重ね合わせる際の安定性や強度を向上させることができ、電線などを被取付部に取り付ける端子金具などとして有用である。
【符号の説明】
【００４１】
１０，２０  端子金具
１１，２１  電線保持部
１２，２２  取付部
１３  突起部
１８，２８  貫通孔
２３  穴部
２４  壁部
１２２  第１の凸部
１２４  第１の凹部
１２６  第２の凸部
１２８  第２の凹部
【図１】
2014096339.tif 000003
【図２】
2014096339.tif 000004
【図３】
2014096339.tif 000005
【図４】
2014096339.tif 000006
【図５】
2014096339.tif 000007
【図６】
2014096339.tif 000008
【図７】
2014096339.tif 000009
【図８】
2014096339.tif 000010